(57)【特許請求の範囲】
【請求項１】
音響波検出用のプローブにおいて、
被検体に照射される測定光を発する光照射部と、
該光照射部の近傍に配置された、音響波を検出可能な音響波振動子と、
該音響波振動子の検出側に設けられた音響レンズと、
前記光照射部、前記音響波振動子および前記音響レンズを収容する筺体とを備え、
前記測定光の波長域が近赤外波長域であり、
前記音響レンズ、および該音響レンズ近傍の前記筺体の表面部分が、前記測定光の波長域における平均拡散反射率が８５％以上かつ平均吸収率が１０％以下であり、さらに青−緑波長域における平均拡散反射率が７０％以下である光学特性を有することを特徴とするプローブ。
【請求項２】
前記筺体の前記表面部分における前記光学特性が、第１の無機顔料を含有する塗料により付与されたものであることを特徴とする請求項１に記載のプローブ。
【請求項３】
前記第１の無機顔料が、酸化チタン、酸化ジルコニウム、酸化鉄および酸化セリウムのうち少なくとも１種の酸化物粒子であることを特徴とする請求項２に記載のプローブ。
【請求項４】
前記第１の無機顔料の粒子の大きさが、０．０５〜０．３５μｍであることを特徴とする請求項２または３に記載のプローブ。
【請求項５】
前記第１の無機顔料の添加量が２〜６５ｗｔ％であることを特徴とする請求項２から４いずれか１項に記載のプローブ。
【請求項６】
前記筺体の前記表面部分における前記光学特性が、拡散反射シートにより付与されたものであることを特徴とする請求項１に記載のプローブ。
【請求項７】
前記筺体の前記表面部分における前記光学特性が、高反射素材で該表面部分が構成されることにより付与されたものであることを特徴とする請求項１に記載のプローブ。
【請求項８】
前記音響レンズにおける前記光学特性が、第２の無機顔料を含有する素材で前記音響レンズが構成されることにより付与されたものであることを特徴とする請求項１から７いずれか１項に記載のプローブ。
【請求項９】
前記第２の無機顔料が、酸化チタン、酸化ジルコニウム、酸化鉄および酸化セリウムのうち少なくとも１種の酸化物粒子であることを特徴とする請求項８に記載のプローブ。
【請求項１０】
前記第２の無機顔料の粒子の大きさが、０．０５〜０．３５μｍであることを特徴とする請求項８または９に記載のプローブ。
【請求項１１】
前記第２の無機顔料の添加量が２〜６５ｗｔ％であることを特徴とする請求項８から１０いずれか１項に記載のプローブ。
【請求項１２】
前記音響レンズの前記素材がシリコーンゴムであり、
前記第２の無機顔料が酸化チタン粒子であり、
前記第２の無機顔料の添加量が５〜２０ｗｔ％であることを特徴とする請求項１１に記載のプローブ。
【請求項１３】
前記筺体および／または前記音響レンズの表面が保護層によって覆われていることを特徴とする請求項１から１２いずれか１項に記載のプローブ。
【請求項１４】
請求項１から１３いずれか１項に記載のプローブを備えることを特徴とする光音響計測装置。
【請求項１５】
前記プローブの前記光照射部まで導光される近赤外波長域の測定光を出力する光源を備えることを特徴とする請求項１４に記載の光音響計測装置。
【請求項１６】
前記プローブによって検出された光音響波の光音響信号に基づいて、前記光音響信号についての光音響画像を生成する音響画像生成手段を備えることを特徴とする請求項１４または１５に記載の光音響計測装置。
【請求項１７】
前記プローブが、前記被検体に対して送信された超音波に対する反射超音波を検出するものであり、
前記音響画像生成手段が、前記反射超音波の超音波信号に基づいて超音波画像を生成するものであることを特徴とする請求項１６に記載の光音響計測装置。
【発明の詳細な説明】
【技術分野】
【０００１】
本発明は、測定対象に当てて音響波を検出するプローブおよびそれを備えた光音響計測装置に関するものである。
【背景技術】
【０００２】
従来、音響波検出用のプローブ（または探触子）は、例えば、診断に使用される超音波画像生成装置および光音響画像生成装置、並びに漁業に使用される魚群探知機等に使用されている。このようなプローブには、音響波ビームを集束させて分解能を向上させるために音響レンズが組み込まれている。
【０００３】
例えば特許文献１では、生体との密着性をよくするために、音響レンズは主に６つの特性を満たすことが望まれることが開示されている。具体的な６つの要件は、（１）測定対象との接触部分で超音波の反射を最小にすること、（２）超音波を高感度で送受信すること、（３）凸面形状にするために音響レンズ内の音速が測定対象内の音速（約１５００ｍ／ｓ）以下の材料から作られること、（４）成型性に優れ、特に引き裂き強度が大きい材料から作られること、（５）添加物を含む音響レンズの構成材料が生体に対して安全であること、（６）使用の際に容易に変形しない程度の硬さを有する材料から作られることである。
【０００４】
そこで特許文献１では、上記６つの要件をすべて満たす音響レンズを提供するため、シリコーンゴムに酸化亜鉛粉末または白金粉末を所定の重量濃度で混合させた組成物を開示している。
【０００５】
また、これに関連して特許文献２には、粒径０．０８〜０．２０μｍの酸化チタン粒子がシリコーンゴムに混合された音響レンズが開示されている。
【先行技術文献】
【特許文献】
【０００６】
【特許文献１】特開２００５−１２５０７１号公報
【特許文献２】特開昭５８−２１６２９４号公報
【発明の概要】
【発明が解決しようとする課題】
【０００７】
ところで、本発明者は、光音響計測を行う場合には、測定光の照射に起因する音響レンズについての課題があることを見出した。具体的には、測定対象で反射した光が音響レンズを通過し音響波振動子で吸収された場合に、音響波振動子の振動によるアーティファクト（虚像または偽像）が写し出されたり、測定対象で反射した光が音響レンズで吸収された場合に、そこで発生した光音響波によるアーティファクトが写し出されたりしてしまう。しかしながら、上記６つの要件を満たすだけでは当該課題を解決することは難しい。
【０００８】
本発明は上記問題に鑑みてなされたものであり、プローブを用いた光音響計測において、測定光の照射に起因したアーティファクトの発生を低減することを可能とする音響波検出用のプローブおよびそれを備えた光音響計測装置を提供することを目的とするものである。
【課題を解決するための手段】
【０００９】
上記課題を解決するために、本発明に係るプローブは、
音響波検出用のプローブにおいて、
被検体に照射される測定光を発する光照射部と、
光照射部の近傍に配置された、音響波を検出可能な音響波振動子と、
音響波振動子の検出側に設けられた音響レンズと、
光照射部、音響波振動子および音響レンズを収容する筺体とを備え、
音響レンズ、および音響レンズ近傍の筺体の表面部分が、測定光の波長域における平均拡散反射率が８５％以上かつ平均吸収率が１０％以下である光学特性を有することを特徴とするものである。
【００１０】
そして、本発明に係るプローブにおいて、音響レンズおよび／または筺体の上記表面部分における光学特性は、さらに青−緑波長域における平均拡散反射率が７０％以下である特性を有することが好ましい。
【００１１】
また、本発明に係るプローブにおいて、筺体の上記表面部分における光学特性は、第１の無機顔料を含有する塗料により付与されたものとすることができる。この場合において、第１の無機顔料は、酸化チタン、酸化ジルコニウム、酸化鉄および酸化セリウムのうち少なくとも１種の酸化物粒子であることが好ましい。また、第１の無機顔料の粒子の大きさは０．０５〜０．３５μｍであることが好ましく、第１の無機顔料の添加量は２〜６５ｗｔ％であることが好ましい。
【００１２】
また、本発明に係るプローブにおいて、筺体の上記表面部分における光学特性は、拡散反射シートにより付与されたものとすることができる。
【００１３】
また、本発明に係るプローブにおいて、筺体の上記表面部分における光学特性が、高反射素材で当該表面部分が構成されることにより付与されたものとすることができる。
【００１４】
また、本発明に係るプローブにおいて、音響レンズにおける光学特性は、第２の無機顔料を含有する素材で音響レンズが構成されることにより付与されたものであることが好ましい。この場合において、第２の無機顔料は、酸化チタン、酸化ジルコニウム、酸化鉄および酸化セリウムのうち少なくとも１種の酸化物粒子であることが好ましい。また、第２の無機顔料の粒子の大きさは０．０５〜０．３５μｍであることが好ましく、第２の無機顔料の添加量は２〜６５ｗｔ％であることが好ましい。また、音響レンズの上記素材はシリコーンゴムであり、第２の無機顔料は酸化チタン粒子であり、第２の無機顔料の添加量は５〜２０ｗｔ％であることが特に好ましい。
【００１５】
また、本発明に係るプローブにおいて、筺体および／または音響レンズの表面は保護層によって覆われていることが好ましい。
【００１６】
また、本発明に係るプローブにおいて、測定光の波長域は近赤外波長域であることが好ましい。
【００１７】
本発明に係る光音響計測装置は、上記に記載のプローブを備えることを特徴とするものである。
【００１８】
そして、本発明に係る光音響計測装置は、プローブの光照射部まで導光される近赤外波長域の測定光を出力する光源を備えることが好ましい。
【００１９】
また、本発明に係る光音響計測装置は、プローブによって検出された光音響波の光音響信号に基づいて、光音響信号についての光音響画像を生成する音響画像生成手段を備えることが好ましい。
【００２０】
また、本発明に係る光音響計測装置において、プローブは、被検体に対して送信された超音波に対する反射超音波を検出するものであり、音響画像生成手段は、上記反射超音波の超音波信号に基づいて超音波画像を生成するものであることが好ましい。
【発明の効果】
【００２１】
本発明に係るプローブおよび光音響計測装置は、特に、音響レンズ、および音響レンズ近傍の筺体の表面部分が、測定光の波長域における平均拡散反射率が８５％以上かつ平均吸収率が１０％以下である光学特性を有するものであることを特徴とする。これにより、測定対象で反射した光が、音響レンズを通過し音響波振動子で吸収されたり音響レンズで吸収されたりすることを抑制することができる。この結果、プローブを用いた光音響計測において、測定光の照射に起因したアーティファクトの発生を低減することが可能となる。
【図面の簡単な説明】
【００２２】
【図１】本実施形態のプローブの構成を示す概略図である。
【図２】音響レンズ、および音響レンズ近傍の筺体の表面部分の構成を示す概略図である。
【図３】酸化物粒子に関する粒子サイズと散乱効率の関係を示す概略図である。
【図４】酸化チタン微粒子を含有するシリコーンゴム膜の赤外光に対する拡散反射率を示すグラフである。
【図５】酸化チタン微粒子の添加量と７ＭＨｚの音響減衰率との関係を示すグラフである。
【図６】第１の実施形態の光音響計測装置の構成を示す概略図である。
【図７】第２の実施形態の光音響計測装置の構成を示す概略図である。
【発明を実施するための形態】
【００２３】
以下、本発明の実施形態について図面を用いて説明するが、本発明はこれに限られるものではない。なお、視認しやすくするため、図面中の各構成要素の縮尺等は実際のものとは適宜異ならせてある。
【００２４】
「音響波検出用のプローブの実施形態」
まず、音響波検出用のプローブの実施形態について説明する。図１は本実施形態のプローブの構成を示す概略図であり、図２は音響レンズ、および音響レンズ近傍の筺体の表面部分の構成を示す概略図である。
【００２５】
本実施形態のプローブ１１は、図１に示されるように、光ファイバ４０、導光板４２、電気音響変換部２０およびこれらを収容する筺体４４から構成される。例えばプローブ１１は、光源からのレーザ光Ｌを被検体Ｍに照射して、光音響効果によって被検体Ｍ内に発生する光音響波を検出するものである。レーザ光の波長は、計測の対象となる被検体Ｍ内の物質の光吸収特性によって適宜決定される。例えば測定対象が生体である場合には、一般的にヘモグロビンの吸収特性を考慮して、レーザ光として近赤外波長域の光が使用される。近赤外波長域とはおよそ７００〜８５０ｎｍの波長域を意味する。しかしながら、レーザ光の波長は当然これに限られるものではない。
【００２６】
＜光ファイバ＞
光ファイバ４０は、レーザ光Ｌを出力する光源に光学的に接続されており、レーザ光Ｌを導光板４２まで導光する。光ファイバ４０は、特に限定されず、石英ファイバ等の公知のものを使用することができる。
【００２７】
＜導光板＞
導光板４２は、例えばアクリル板や石英板の表面に特殊な加工を施して、一方の端面から入れた光を他方の端面から均一に面発光させる板である。本発明の光照射部に相当する。図１ｂに示されるように、本実施形態では２つの導光板４２が、電気音響変換部２０を挟んで対向するように配置されている。光ファイバ４０と導光板４２とは互いに光学的に結合されている。光ファイバ４０と結合された側の導光板４２の部分は、図１ａに示されるように、例えばテーパー形状に形成される。さらに、光ファイバ４０と結合される導光板４２の部分は、光エネルギーによる破損を回避するために、ガラス材料で形成されることが好ましい。一方、その他の部分は、例えばアクリル等の樹脂材料で形成される。
【００２８】
光ファイバ４０によって導光されたレーザ光Ｌは、導光板４２に入射した後、反対側の端部から被検体Ｍに照射される。導光板４２は、より広範囲の被検体Ｍをレーザ光Ｌによって照射できるように、その先端部に光を拡散させる機構（散乱粒子を包含する樹脂等）または光の進行方向を電気音響変換部２０側へ向ける機構（光を屈折させるための切り欠き等）を有していてもよい。
【００２９】
＜電気音響変換部＞
電気音響変換部２０は、例えばバッキング材５０、音響波振動子アレイ５１、音響整合層５２および音響レンズ５３を含む。
【００３０】
バッキング材５０は、音響波振動子アレイ５１を透過した音響波を吸収して、音響波の反射波が被検体Ｍ側へ戻ることを抑制する機能を果たす。バッキング材５０は、例えばベース樹脂であるエポキシ樹脂にタングステン（Ｗ）、鉛（Ｐｂ）、酸化亜鉛（ＺｎＯ）などの密度の高い粉末材料が混合された構成を有する。
【００３１】
音響波振動子アレイ５１は、複数の音響波振動子の１次元的または２次元的に配列したものであり、実際に音響波信号を電気信号に変換する。音響波振動子は、例えば、圧電セラミクス、またはポリフッ化ビニリデン（ＰＶＤＦ）のような高分子フィルムから構成される圧電素子である。なお本明細書において、「音響波」とは超音波および光音響波を含む意味である。ここで、「超音波」とは音響波振動子アレイの振動により被検体内に発生した弾性波およびその反射波を意味し、「光音響波」とは測定光の照射による光音響効果により被検体内に発生した弾性波を意味する。
【００３２】
音響整合層５２は、例えば音響波振動子アレイ５１の検出面上に形成されており、音響インピーダンスを整合する機能を果たす。音響整合層を構成する材料の例としては、エポキシ樹脂や石英ガラスなどが挙げられる。
【００３３】
音響レンズ５３は、例えば音響整合層５２上に形成されている。本発明の音響レンズ５３は、測定光の波長域における平均拡散反射率が８５％以上かつ平均吸収率が１０％以下である光学特性を有する。「測定光の波長域」とは、測定光の波長分布における半値全幅に対応する波長域を意味する。例えば本実施形態では測定光の波長域は、近赤外波長域に含まれる。音響レンズの「平均拡散反射率」は、その音響レンズの平均厚さにおける拡散反射率であって、所定の波長域に属する光の拡散反射率の平均値を意味する。また音響レンズの「平均吸収率」は、その音響レンズの平均厚さにおける吸収率であって、所定の波長域に属する光の吸収率の平均値を意味する。所定の波長域に属する光の拡散反射率または吸収率の平均値は、例えば、その波長域に属するいくつかの光について拡散反射率または吸収率を求めて、それぞれその平均を取ることにより得られる。拡散反射率および吸収率は分光光度計等によって測定される。音響レンズ５３の厚さは０．５〜２ｍｍであることが好ましく、０．７〜１．５ｍｍであることが好ましい。これは、薄すぎる場合には所定の濃度で測定光の波長域における拡散反射率を得ることやレンズ面を形成することが難しく、厚い場合にはシリコーンゴムによる測定光の波長域における吸収が増加するためである。
【００３４】
例えば、音響レンズ５３における上記光学特性は、無機顔料を含有する光透過性素材で音響レンズ５３を構成することにより付与することができる。この場合において、無機顔料は、酸化チタン、酸化ジルコニウム、酸化鉄および酸化セリウムのうち少なくとも１種の酸化物粒子であることが好ましい。一方、上記光透過性素材としてはシリコーンゴム等の樹脂材料を使用することができる。シリコーンゴムとしては、例えば信越化学工業株式会社の品名ＫＥ−１０９、ＫＥ−１０６、ＫＥ−１０３１、ＫＥ−１０３、ＫＥ−１０８を使用することが好ましい。例えば、上記品名ＫＥ−１０９のシリコーンゴムの赤外吸収率は、音響レンズ５３の好ましい厚さの範囲内において１％以下である。
【００３５】
また、無機顔料の粒子の大きさは、後述するアーティファクトの発生が電気ノイズレベルになり画像上問題とならない範囲で適宜調整される。さらに無機顔料の粒子の大きさは、０．０５〜０．３５μｍであることが好ましい。これは、図３に示された、酸化物粒子に関する粒子サイズと散乱効率（これは粒子濃度一定での還元散乱定数に比例する。）の関係を考慮したものである。図３から分かるように、粒子の大きさが０．０５〜０．３５μｍである範囲において、素材に対する酸化物粒子の濃度（粒子濃度）が低くても高い拡散反射率を得ることができる。なお、図３のグラフは、７５６ｎｍの光においてＭｉｅ散乱を仮定して計算した値をプロットしたものである。さらに、無機顔料の粒子の大きさは、音響減衰率を低下させないことまで考慮すると０．０８〜０．２μｍであることが好ましい。本明細書において、「粒子の大きさ」とは、その材料種の粒子の直径の平均値を意味し、例えば動的光散乱法、レーザ回折法および走査型電子顕微鏡(SEM)による画像イメージング法等によって測定される。
【００３６】
無機顔料の添加量は、後述するアーティファクトの発生が電気ノイズレベルになり画像上問題とならない範囲で適宜調整される。無機顔料の添加量は、２〜６５ｗｔ％であることが好ましい。これは、添加量がこの範囲よりも低い場合には、測定光の波長域における平均拡散反射率が音響レンズ５３の適当な厚さの範囲で８５％に達せず、大きい場合には、測定光の波長域における平均拡散反射率を増加させる効果が、音響レンズ５３を薄くしても飽和するためである。さらに無機顔料の添加量は、５〜２０ｗｔ％であることが好ましい。下限が５ｗｔ％であるのは、図４に示されるように音響レンズ５３の好ましい厚さの範囲内においては、添加量が５ｗｔ％であるときに拡散反射率が８５％を超えるためである。また、上限が２０ｗｔ％であるのは、図４に示されるように２０ｗｔ％程度で拡散反射率が飽和し、かつ図５から分かるように添加量が多いほど音響減衰率が上昇し音響検出を妨げてしまう（つまり音響減衰率の観点から言えば、無機顔料の添加量は少ない方が好ましい）ためである。ここで、図４は、白色顔料である酸化チタン粒子（４つの態様における添加量はそれぞれ１ｗｔ％、５ｗｔ％、１０ｗｔ％および２０ｗｔ％である）を含有するシリコーンゴム膜の赤外光に対する拡散反射率を示すグラフであり、横軸がその厚さ（ｍｍ）を表し、縦軸が拡散反射率（％）を表す。また図５は、酸化チタン微粒子の添加量と７ＭＨｚの音響減衰率との関係を示すグラフであり、横軸がその添加量（ｗｔ％）を表し、縦軸がその音響減衰率（ｄＢ／ｃｍ）を表す。
【００３７】
音響レンズ５３の設計に際しては、被検体Ｍと音響レンズ５３との間で音響インピーダンスを整合させることを考慮することが好ましい。例えば上記無機顔料または他の添加剤の添加量を調整することにより、音響レンズ５３の音響インピーダンスを調整することができる。例えば被検体Ｍが人体である場合には、上記無機顔料の添加量は５ｗｔ％よりも２０ｗｔ％である方が、被検体Ｍおよび音響レンズ５３それぞれの音響インピーダンスが互いに近づき、効率よく音響波が伝搬する。
【００３８】
一般に、粒子同士が粒子径の半分以下の距離まで近接するような程度にまで粒子濃度が高くなると、散乱能は飽和する。例えば０．２μｍの粒子が一辺０．３μｍの立方体空間に入ることを想定すると、散乱能（拡散反射率）は、例えばシリコーンゴムおよび無機顔料の混合物中における無機顔料の体積分率が０．１５５のときに飽和する。そこで、本発明では、無機顔料の添加量は、音響レンズ５３を構成する材料中における無機顔料の体積分率が０．１５５の範囲で適宜設定される。これは、図３のグラフに示されていない酸化鉄および酸化セリウムについても同様である。
【００３９】
また、本発明において音響レンズ５３は、さらに青−緑波長域における平均拡散反射率が７０％以下である特性を有することが好ましい。「青−緑波長域」とはおよそ４５０〜５５０ｎｍの波長域を意味する。当該特性は、例えば上記無機顔料の粒子の大きさや添加量を調整することにより付与することができる。
【００４０】
＜筺体＞
筺体４４は、例えば、アクリロニトリル（Ａｃｒｙｌｏｎｉｔｒｉｌｅ）、ブタジエン（Ｂｕｔａｄｉｅｎｅ）およびスチレン（Ｓｔｙｒｅｎｅ）共重合合成樹脂（ＡＢＳ樹脂）等により構成される。本実施形態ではハンドヘルド型の形状を有しているが、本発明の筺体４４はこれに限られない。本発明では筺体４４の表面部分であって音響レンズ近傍の表面部分（本実施形態の場合、図１における当接部分Ｒ）は、測定光の波長域における平均拡散反射率が８５％以上かつ平均吸収率が１０％以下である光学特性を有する。本明細書において、「音響レンズ近傍の表面部分」とは、測定対象で反射した光の影響を受ける範囲を言い、例えば音響レンズから１ｃｍ以内、より好ましくは３ｃｍ以内、特に好ましくは５ｃｍ以内と設定する。つまり、本発明における上記光学特性を有する領域を広く設定するほど、より本発明の効果を得ることができる。なお、少なくとも当接部分Ｒが上記光学特性を有していればよく、筺体４４の全体が上記光学特性を有していてもよい。当接部分Ｒの「平均拡散反射率」とは、当接部分Ｒにおける部材全体の平均厚さにおける拡散反射率であって、所定の波長域に属する光の拡散反射率の平均値を意味する。また当接部分Ｒの「平均吸収率」は、当接部分Ｒにおける部材全体の平均厚さにおける吸収率であって、所定の波長域に属する光の吸収率の平均値を意味する。
【００４１】
例えば、当接部分Ｒにおける上記光学特性は、図２ａに示されるように、無機顔料を含有する塗料を当接部分Ｒに塗ることにより付与することができる。図２ａの符号４５は、このようにして形成された塗料の塗布膜を表している。筺体４４の当接部分Ｒ以外の部分または全体に上記光学特性を付与する場合には、上記光学特性を付与したいその部分または全体にも上記塗料を塗布すればよい。この場合において、無機顔料は、酸化チタン、酸化ジルコニウム、酸化鉄および酸化セリウムのうち少なくとも１種の酸化物粒子であることが好ましい。なお、塗料の主成分としては、特に制限されず、塗料として一般的に使用されている材料を使用することができる。塗布膜の厚みは例えば０．０３ｍｍ以上とする。また、無機顔料の粒子の大きさおよび添加量は、後述するアーティファクトの発生が電気ノイズレベルになり画像上問題とならない範囲で適宜調整される。さらに無機顔料の粒子の大きさは０．０５〜０．３５μｍであることが好ましく、無機顔料の添加量は２〜６５ｗｔ％であることが好ましい。これは、音響レンズ５３の場合と同様の理由による。さらに、筺体および／または音響レンズは、機械的な強度を付与するための保護層４５ａによって覆われていてもよい。この場合、保護層４５ａの材料は、吸収特性の低い透明な樹脂（パリレン、シリコーン系樹脂およびポリイミド系樹脂など）が好ましい。例えば、上記塗料は、酸化チタン粒子を５〜２０ｗｔ％の添加量で含有するシリコーンゴムであることが好ましい。
【００４２】
また、当接部分Ｒにおける上記光学特性は、図２ｂに示されるように、上記光学特性を有する拡散反射シートを張ることにより付与することもできる。図２ｂの符号４６は、このようにして張られた拡散反射シートを表している。
【００４３】
また、当接部分Ｒにおける上記光学特性は、図２ｃに示されるように、高反射素材で当接部分Ｒまたは筺体４４の全体を構成することにより付与することができる。図２ｃの符号４７は、このようにして構成された筺体を表している。この場合において、高反射素材は、上記無機顔料を含有するポリエステル、ポリエチレン、ポリカーボネートであることが好ましく、またはポリテトラフルオロエチレン（ＰＴＦＥ）、ペルフルオロアルコキシフッ素樹脂（ＰＦＡ）、四フッ化エチレン・六フッ化プロピレン共重合体（ＦＥＰ）、エチレン・四フッ化エチレン共重合体（ＦＥＰ）およびエチレン・クロロトリフルオロエチレン共重合体（ＥＣＴＦＥ）等のフッ素樹脂であることが好ましい。
【００４４】
また、本発明において筺体４４の当接部分および／または音響レンズ５３における光学特性は、さらに青−緑波長域における平均拡散反射率が７０％以下である特性を有することが好ましい。当該特性は、例えば、上記無機顔料の粒子の大きさや添加量を調整したり、所望の特性を有する拡散反射シートを選択したりすることにより付与することができる。例えば図２ｄでは、近赤外波長域における平均拡散反射率が８５％以上かつ平均吸収率が１０％以下であり、さらに青−緑波長域における平均拡散反射率が７０％以下である光学特性を付与するように無機顔料が調整された、筺体４８および音響レンズ５５が表されている。なお、青−緑波長域における上記光学特性は、筺体４４の全体に付与されていることが好ましい。
【００４５】
＜本発明の作用効果＞
以下本発明の作用効果を説明する。本発明のプローブ１１は、特に、音響レンズ５３および少なくとも筺体４４の当接部分が、測定光の波長域における平均拡散反射率が８５％以上かつ平均吸収率が１０％以下である光学特性を有するものであることを特徴とする。
【００４６】
例えば、測定光の波長域における平均拡散反射率が８５％未満である場合には、測定対象で反射した光が音響レンズ５３を通過し音響波振動子アレイ５１で吸収されて、音響波振動子アレイ５１の振動によるアーティファクト（虚像または偽像）が写し出されてしまう。また、測定光の波長域における平均吸収率が１０％を超える場合には、測定対象で反射した光が音響レンズ５３で吸収されて、そこで発生した光音響波によるアーティファクトが写し出されてしまう。したがって、本発明のように音響レンズ５３が上記の光学特性を備えていれば、アーティファクトの発生を抑えることができる。また、反射した測定光の影響を受けやすい筺体４４の当接部分についても同様の問題が生じうるため、本発明ではこの当接部分についても同じ光学特性を付与している。
【００４７】
また、筺体４４の当接部分および／または音響レンズ５３において、青−緑波長域における平均拡散反射率が７０％を超える場合には、厳しい医用環境において劣化したときに汚れが目立つようになってしまう。そこで、このような汚れが目立たないようにするために、プローブ１１は真っ白ではなく僅かにでも色味（黄色、茶色またはクリーム色等）が付いていた方が良い。さらに、医療分野においては、使用できる色彩が限られている。したがって、筺体４４および／または音響レンズ５３が、青−緑波長域における上記光学特性を備えていれば、プローブ１１の汚れが目立たなくなるため、医療現場においてもプローブ１１を長く使用することが可能となる。
【００４８】
「光音響計測装置の第１の実施形態」
次に、光音響計測装置の第１の実施形態について説明する。本実施形態では、光音響計測装置が、光音響信号に基づいて光音響画像を生成する光音響画像生成装置である場合について具体的に説明する。図６は、本実施形態の光音響画像生成装置１０の構成を示すブロック図である。
【００４９】
本実施形態の光音響画像生成装置１０は、本発明に係るプローブ１１、超音波ユニット１２、レーザユニット１３、画像表示手段１４および入力手段１６を備える。
【００５０】
＜レーザユニット＞
レーザユニット１３は、例えばレーザ光Ｌを、被検体Ｍに照射する測定光として出力する。レーザユニット１３は、例えば、制御手段２９からのトリガ信号を受けてレーザ光Ｌを出力するように構成されている。レーザユニット１３が出力するレーザ光Ｌは、例えば光ファイバなどの導光手段を用いてプローブ１１まで導光され、プローブ１１から被検体Ｍに照射される。レーザユニット１３は、レーザ光として１〜１００ｎｓｅｃのパルス幅を有するパルス光を出力するものであることが好ましい。
【００５１】
例えば本実施形態では、レーザユニット１３は、Ｑスイッチ（Ｑｓｗ）アレキサンドライトレーザである。この場合、レーザ光Ｌのパルス幅は、例えばＱｓｗによって制御される。レーザ光の波長は、計測の対象となる被検体内の物質の光吸収特性によって適宜決定される。例えば計測対象が生体内のヘモグロビンである場合（つまり、血管を撮像する場合）には、一般的にはその波長は近赤外波長域に属する波長であることが好ましい。また、レーザ光Ｌは、単波長でもよいし、複数の波長（例えば７５０ｎｍおよび８００ｎｍ）を含んでもよい。さらに、レーザ光Ｌが複数の波長を含む場合には、これらの波長の光は、同時に被検体Ｍに照射されてもよいし、交互に切り替えられながら照射されてもよい。
【００５２】
＜プローブ＞
プローブ１１は、被検体Ｍ内で発生した光音響波Ｕを検出する本発明に係るプローブであり、例えば図１および図２に示されたものを使用する。
【００５３】
＜超音波ユニット＞
超音波ユニット１２は、受信回路２１、ＡＤ変換手段２２、受信メモリ２３、光音響画像再構成手段２４、検波・対数変換手段２７、光音響画像構築手段２８、制御手段２９、画像合成手段３８および観察方式選択手段３９を有する。受信回路２１、ＡＤ変換手段２２、受信メモリ２３、光音響画像再構成手段２４、検波・対数変換手段２７および光音響画像構築手段２８が一体として、本発明における音響画像生成手段に相当する。
【００５４】
制御手段２９は、光音響画像生成装置１０の各部を制御するものであり、本実施形態ではトリガ制御回路３０を備える。トリガ制御回路３０は、例えば光音響画像生成装置の起動の際に、レーザユニット１３に光トリガ信号を送る。これによりレーザユニット１３で、フラッシュランプが点灯し、レーザロッドの励起が開始される。そして、レーザロッドの励起状態は維持され、レーザユニット１３はパルスレーザ光を出力可能な状態となる。
【００５５】
そして、制御手段２９は、その後トリガ制御回路３０からレーザユニット１３へＱｓｗトリガ信号を送信する。つまり、制御手段２９は、このＱｓｗトリガ信号によってレーザユニット１３からのパルスレーザ光の出力タイミングを制御している。また本実施形態では、制御手段２９は、Ｑｓｗトリガ信号の送信と同時にサンプリングトリガ信号をＡＤ変換手段２２に送信する。サンプリングトリガ信号は、ＡＤ変換手段２２における光音響信号のサンプリングの開始タイミングの合図となる。このように、サンプリングトリガ信号を使用することにより、レーザ光の出力と同期して光音響信号をサンプリングすることが可能となる。
【００５６】
受信回路２１は、プローブ１１で検出された光音響信号を受信する。受信回路２１で受信された光音響信号はＡＤ変換手段２２に送信される。
【００５７】
ＡＤ変換手段２２は、サンプリング手段であり、受信回路２１が受信した光音響信号をサンプリングしてデジタル信号に変換する。例えば、ＡＤ変換手段２２は、サンプリング制御部およびＡＤ変換器を有する。受信回路２１によって受信された受信信号は、ＡＤ変換器によってデジタル化されたサンプリング信号に変換される。ＡＤ変換器は、サンプリング制御部によって制御されており、サンプリング制御部がサンプリングトリガ信号を受信したときに、サンプリングを開始するように構成されている。ＡＤ変換手段２２は、例えば外部から入力する所定周波数のＡＤクロック信号に基づいて、所定のサンプリング周期で受信信号をサンプリングする。
【００５８】
受信メモリ２３は、ＡＤ変換手段２２でサンプリングされた光音響信号（つまり上記サンプリング信号）を記憶する。そして、受信メモリ２３は、プローブ１１によって検出された光音響信号を光音響画像再構成手段２４に出力する。
【００５９】
光音響画像再構成手段２４は、受信メモリ２３から光音響信号を読み出し、プローブ１１の電気音響変換部２０で検出された光音響信号に基づいて、光音響画像の各ラインのデータを生成する。光音響画像再構成手段２４は、例えばプローブ１１の６４個の音響波振動子からのデータを、音響波振動子の位置に応じた遅延時間で加算し、１ライン分のデータを生成する（遅延加算法）。光音響画像再構成手段２４は、遅延加算法に代えて、ＣＢＰ法（Circular Back Projection）により再構成を行ってもよい。あるいは光音響画像再構成手段２４は、ハフ変換法又はフーリエ変換法を用いて再構成を行ってもよい。
【００６０】
検波・対数変換手段２７は、各ラインのデータの包絡線を求め、求めた包絡線を対数変換する。
【００６１】
光音響画像構築手段２８は、対数変換が施された各ラインのデータに基づいて、１フレーム分の光音響画像を構築する。光音響画像構築手段２８は、例えば光音響信号（ピーク部分）の時間軸方向の位置を光音響画像における深さ方向の位置に変換して光音響画像を構築する。
【００６２】
観察方式選択手段３９は、光音響画像の表示態様を選択するものである。光音響信号についてのボリュームデータの表示態様としては、例えば三次元画像としての態様、断面画像としての態様および所定の軸上のグラフとしての態様が挙げられる。いずれの態様によって表示するかは、初期設定或いは使用者による入力手段１６からの入力に従って選択される。
【００６３】
画像合成手段３８は、順次取得された光音響信号を使用して、ボリュームデータを生成する。ボリュームデータの生成は、それぞれの光音響信号の信号値を、光音響画像のフレームごとに関連付けられた座標および光音響画像中の画素座標に従って、仮想空間に割り当てることにより行う。例えば、Ｑｓｗトリガ信号が送信された時の座標、実際に光が出力された時の座標、および光音響信号のサンプリングが開始された時の座標等が光音響画像の１フレームごとに関連付けられる。信号値を割り当てる際に、割り当てる場所が重複する場合には、その重複する場所の信号値として例えばそれらの信号値の平均値またはそれらのうちの最大値が採用される。また、必要に応じて、割り当てられる信号値がない場合には、その周辺の信号値を用いて補間することが好ましい。補間は、例えば、最近接点から順に４つの近接点の重み付き平均値を補間場所に割り当てることにより行う。これにより、より自然な形のボリュームデータを生成することができる。さらに、画像合成手段３８は、生成されたボリュームデータに必要な処理（例えばスケールの補正およびボクセル値に応じた色付け等）を施す。
【００６４】
また、画像合成手段３８は、観察方式選択手段３９によって選択された観察方式に従って光音響画像を生成する。選択された観察方法に従って生成された光音響画像が、画像表示手段１４に表示するための最終的な画像（表示画像）となる。なお、上記の光音響画像の生成方法において、一旦光音響画像が生成された後、使用者が必要に応じて当該画像を回転させたり移動させたりすることも当然可能である。つまり、三次元画像が表示されている場合に、使用者が入力手段１６を使用して視点とする方向を順次指定する或いは移動させることにより、光音響画像が再計算されて三次元画像が回転することになる。また、使用者が入力手段１６を使用して適宜観察方法を変更することも可能である。
【００６５】
画像表示手段１４は、画像合成手段３８によって生成された表示画像を表示するものである。
【００６６】
以上のように、本実施形態に係る光音響計測装置は、本発明のプローブを使用するものであるから、プローブを用いた光音響計測において、測定光の照射に起因したアーティファクトの発生を低減することが可能となる。
【００６７】
「光音響計測装置の第２の実施形態」
次に、光音響計測装置の第２の実施形態について説明する。本実施形態でも、光音響計測装置が光音響画像生成装置である場合について具体的に説明する。図７は、本実施形態の光音響画像生成装置１０の構成を示すブロック図である。本実施形態は、光音響画像に加えて超音波画像も生成する点で、第１の実施形態と異なる。したがって、第１の実施形態と同様の構成要素についての詳細な説明は、特に必要がない限り省略する。
【００６８】
本実施形態の光音響画像生成装置１０は、第１の実施形態と同様に、本発明に係るプローブ１１、超音波ユニット１２、レーザユニット１３、画像表示手段１４および入力手段１６を備える。
【００６９】
＜超音波ユニット＞
本実施形態の超音波ユニット１２は、図６に示す光音響画像生成装置の構成に加えて、送信制御回路３３、データ分離手段３４、超音波画像再構成手段３５、検波・対数変換手段３６、および超音波画像構築手段３７を備える。本実施形態では、受信回路２１、ＡＤ変換手段２２、受信メモリ２３、データ分離手段３４、光音響画像再構成手段２４、検波・対数変換手段２７、光音響画像構築手段２８、超音波画像再構成手段３５、検波・対数変換手段３６、及び超音波画像構築手段３７が一体として、本発明における音響画像生成手段に相当する。
【００７０】
本実施形態では、プローブ１１は、光音響信号の検出に加えて、被検体に対する超音波の出力（送信）、及び送信した超音波に対する被検体からの反射超音波の検出（受信）を行う。超音波の送受信を行う音響波振動子としては、前述した音響波振動子アレイ５１を使用してもよいし、超音波の送受信用に別途プローブ１１中に設けられた新たな音響波振動子アレイを使用してもよい。また、超音波の送受信は分離してもよい。例えばプローブ１１とは異なる位置から超音波の送信を行い、その送信された超音波に対する反射超音波をプローブ１１で受信してもよい。
【００７１】
トリガ制御回路３０は、超音波画像の生成時は、送信制御回路３３に超音波送信を指示する旨の超音波送信トリガ信号を送る。送信制御回路３３は、このトリガ信号を受けると、プローブ１１から超音波を送信させる。プローブ１１は、超音波の送信後、被検体からの反射超音波を検出する。
【００７２】
プローブ１１が検出した反射超音波は、受信回路２１を介してＡＤ変換手段２２に入力される。トリガ制御回路３０は、超音波送信のタイミングに合わせてＡＤ変換手段２２にサンプリグトリガ信号を送り、反射超音波のサンプリングを開始させる。ここで、反射超音波はプローブ１１と超音波反射位置との間を往復するのに対し、光音響信号はその発生位置からプローブ１１までの片道である。反射超音波の検出には、同じ深さ位置で生じた光音響信号の検出に比して２倍の時間がかかるため、ＡＤ変換手段２２のサンプリングクロックは、光音響信号サンプリング時の半分、例えば２０ＭＨｚとしてもよい。ＡＤ変換手段２２は、反射超音波のサンプリング信号を受信メモリ２３に格納する。光音響信号のサンプリングと、反射超音波のサンプリングとは、どちらを先に行ってもよい。
【００７３】
データ分離手段３４は、受信メモリ２３に格納された光音響信号のサンプリング信号と反射超音波のサンプリング信号とを分離する。データ分離手段３４は、分離した光音響信号のサンプリング信号を光音響画像再構成手段２４に入力する。光音響画像の生成は、第１の実施形態と同様である。一方、データ分離手段３４は、分離した反射超音波のサンプリング信号を、超音波画像再構成手段３５に入力する。
【００７４】
超音波画像再構成手段３５は、プローブ１１の複数の音響波振動子で検出された反射超音波（そのサンプリング信号）に基づいて、超音波画像の各ラインのデータを生成する。各ラインのデータの生成には、光音響画像再構成手段２４における各ラインのデータの生成と同様に、遅延加算法などを用いることができる。検波・対数変換手段３６は、超音波画像再構成手段３５が出力する各ラインのデータの包絡線を求め、求めた包絡線を対数変換する。
【００７５】
超音波画像構築手段３７は、対数変換が施された各ラインのデータに基づいて、超音波画像を生成する。
【００７６】
画像合成手段３８は、光音響画像と超音波画像とを合成する。画像合成手段３８は、例えば光音響画像と超音波画像とを重畳することで画像合成を行う。合成された画像は、画像表示手段１４に表示される。画像合成を行わずに、画像表示手段１４に、光音響画像と超音波画像とを並べて表示し、或いは光音響画像と超音波画像とを切り替えて表示することも可能である。
【００７７】
以上のように、本実施形態に係る光音響計測装置も、本発明のプローブを使用するものであるから、プローブを用いた光音響計測において、測定光の照射に起因したアーティファクトの発生を低減することが可能となる。
【００７８】
さらに本実施形態の光音響計測装置は、光音響画像に加えて超音波画像を生成する。したがって、超音波画像を参照することで、光音響画像では画像化することができない部分を観察することができる。
【００７９】
なお、以上では光音響計測装置が光音響画像や超音波画像を生成する場合について説明したが、このような画像生成は必ずしも必要ではない。例えば光音響計測装置を、光音響信号の大きさに基づいて測定対象の存在の有無のみを計測するような構成にすることもできる。
【符号の説明】
【００８０】
１０   光音響画像生成装置
１１   プローブ
１２   超音波ユニット
１３   レーザユニット
１４   画像表示手段
１６   入力手段
２０   電気音響変換部
２１   受信回路
２２   変換手段
２３   受信メモリ
２４   光音響画像再構成手段
２７   検波・対数変換手段
２８   光音響画像構築手段
２９   制御手段
３０   トリガ制御回路
３３   送信制御回路
３４   データ分離手段
３８   画像合成手段
３９   観察方式選択手段
４０   光ファイバ
４２   導光板
４４、４７、４８      筺体
４５   塗布膜
４５ａ 保護層
４６   拡散反射シート
５０   バッキング材
５１   音響波振動子アレイ
５２   音響整合層
５３、５５    音響レンズ
Ｌ     測定光
Ｍ     被検体
Ｒ     音響レンズ近傍の筺体の表面部分
Ｕ     音響波
【図１】
0005860822.tif 000002
【図２】
0005860822.tif 000003
【図３】
0005860822.tif 000004
【図４】
0005860822.tif 000005
【図５】
0005860822.tif 000006
【図６】
0005860822.tif 000007
【図７】
0005860822.tif 000008